(57)【特許請求の範囲】
【請求項１】
机本体の後端上部に後端が枢着され、かつ水平の閉塞位置と後上方に起立する開放位置との間を回動可能な後天板と、この後天板の後端に若干前下方を向いて連設され、かつ後天板を開放位置まで回動させたとき、ほぼ水平位置まで上向きに回動するディスプレイの取付板と、前記机本体の前端上部に前端が枢着され、かつ前記後天板が水平位置にあるとき、これとほぼ同一面に連なる水平の閉塞位置から、前上方に起立する開放位置までの間を回動可能な前天板と、この前天板の下方に設けられた情報入力機器の載置板とを備え、前記取付板及び前天板を水平の閉塞位置としたとき、取付板に取付けたディスプレイが机本体の上方に露出するようにしたことを特徴とするディスプレイ収納型机。
【請求項２】
机本体の上端の一側部に、固定天板を設けた請求項１に記載のディスプレイ収納型机。
【請求項３】
ディスプレイの取付板の前端に、水平位置とした前天板の後端上面に係止可能な係止片を設けた請求項１または２に記載のディスプレイ収納型机。
【請求項４】
前天板の後端に、その下方の空間に連通する切欠部を設けた請求項１ないし３のいずれかに記載のディスプレイ収納型机。
【請求項５】
後天板の前端部下面に、その回動操作用の把持片を設けた請求項１ないし４のいずれかに記載のディスプレイ収納型机。
【請求項６】
後天板及び取付板を所定の起立位置に保持するストッパを設けた請求項１なし５のいずれかに記載のディスプレイ収納型机。
【発明の詳細な説明】
【０００１】
【発明の属する技術分野】
本発明は、例えばパソコンの液晶ディスプレイやキーボード等の情報入力機器を、不使用時には天板の下方に収納しておくことができるようにしたディスプレイ収納型机に関する。
【０００２】
【従来の技術】
この種のディスプレイ収納型机には、電動による昇降式や、例えば実開平２−８２９２８号公報に開示されている手動式のものがある。
【０００３】
【発明が解決しようとする課題】
上記電動式のものでは、電気的な駆動手段や複雑な昇降機構を有するため、製造コストが高くなるのは避けられず、パソコン教室等に数多く設置するのには不向きである。
【０００４】
一方、上記手動式のものは、安価である反面、ディスプレイが天板の中央部に取付けられているため、使用時に天板を起立させたとき、前方の見通しが悪くなる問題がある。
【０００５】
また、使用時においてキーボードが天板の上面よりも下位に位置し、その両側部に垂直の側板を有しているため、キーボード操作時に圧迫感がある。
【０００６】
本発明は、上記問題点を解決するためになされたもので、構造が簡単で安価であり、かつ使用時の前方の見通しがよく、圧迫感を解消することができるようにしたディスプレイ収納型机を提供することを目的としている。
【０００７】
【課題を解決するための手段】
上記目的を達成するために、本発明のディスプレイ収納型机は、机本体の後端上部に後端が枢着され、かつ水平の閉塞位置と後上方に起立する開放位置との間を回動可能な後天板と、この後天板の後端に若干前下方を向いて連設され、かつ後天板を開放位置まで回動させたとき、ほぼ水平位置まで上向きに回動するディスプレイの取付板と、前記机本体の前端上部に前端が枢着され、かつ前記後天板が水平位置にあるとき、これとほぼ同一面に連なる水平の閉塞位置から、前上方に起立する開放位置までの間を回動可能な前天板と、この前天板の下方に設けられた情報入力機器の載置板とを備え、前記取付板及び前天板を水平の閉塞位置としたとき、取付板に取付けたディスプレイが机本体の上方に露出するようにしたことを特徴としている。
上記構成の本発明によると、ディスプレイを、使用状態と収納状態とに手動操作により簡単に位置させることができる。また、ディスプレイの取付板と後天板とを独立させ、取付板を水平としたとき、ディスプレイが使用状態となるようにしてあるため、取付板が前方の視界の妨げとなることはなく、かつ後天板の起立時の寸法も小さいので、それにより前方の見通しが悪くなるということもない。
さらに、使用時において、前天板及び取付板はほぼ同一面をなすので、情報入力機器操作時の開放感が得られる。
【０００８】
上記本発明の机において、机本体の上端の一側部に、固定天板を設けるのが好ましい。
このようにすると、載置板上より取り出した情報入力機器を一旦固定天板上に置いてから、水平とした前天板上の使用位置に移載しうるので便利である。
【０００９】
上記本発明の机において、ディスプレイの取付板の前端に、水平位置とした前天板の後端上面に係止可能な係止片を設けるのが好ましい。
このようにすると、取付板を所定の起立位置から下向きに回動するだけで、係止片が水平位置とした前天板の後端上面に自動的に当接し、取付板を水平に保持することができる。
【００１０】
上記本発明の机において、前天板の後端に、その下方の空間に連通する切欠部を設けるのが好ましい。
このようにすると、切欠部に手を挿し込んで前天板を容易に上下に回動させることができるとともに、情報入力機器のコード類を切欠部を通して配線することができる。
【００１１】
上記本発明の机において、後天板の前端部下面に、その回動操作用の把持片を設けるのが好ましい。
このようにすると、後天板の上下の回動操作が容易となる。
【００１２】
上記本発明の机において、後天板及び取付板を所定の起立位置に保持するストッパを設けるのが好ましい。
このようにすると、後天板及びディスプレイを取付けた取付板を起立位置に保持した状態で、前天板の回動操作や情報入力機器の出し入れを容易に行うことができる。
【００１３】
【発明実施の形態】
以下、本発明の実施形態を図面に基づいて説明する。
【００１４】
図１は、本発明のディスプレイ収納型机におけるディスプレイ収納時の斜視図、図２は、同じく、図１の２−２線の拡大縦断側面図を示している。なお、図２において、ディスプレイ６は便宜上断面せずに図示してある。
【００１５】
図１及び図２において、左右１対の脚板１，１の後端部間（以下、図２の左方を前として説明する）には、幕板２が固着され、その上端部前面には、逆Ｌ字形断面の支持板３が固着されている。
【００１６】
支持板３の上部前端面には、水平の後天板４ａと、斜前下方を向くディスプレイの取付板４ｂとからなる概ね前向きＶ字形をなすディスプレイ支持体４の後端基部が、ヒンジ５をもって上下に回動可能に枢着され、取付板４ｂの前面には、ディスプレイ６のベース板７が、後天板４ａと取付板４ｂとの間にディスプレイ６が位置するようにして固着されている。このディスプレイ支持体４の左右長は、図１に示すように、机本体の左右長のほぼ  ２／３の長さとされ、残りの右側端部は固定天板８となっている。
【００１７】
ディスプレイ支持体４の下方には、後方が下傾するとともに、幕板２と近接する後端に垂直板９ａが連設された、情報入力機器、すなわちキーボード１０等の載置板９が、その両側端を、左方の脚板１と固定天板８の左部下面の仕切板１１とに固着することにより、ディスプレイ６と所要寸法離間するようにして設けられている。垂直板９ａの下端は、前向Ｌ字形のブラケット１２を介して幕板２の下端に固定されている。また、固定天板８の下方には、図１に示すように、パソコン本体１３の収納空間部１４が形成されている。
【００１８】
載置板９の前端に形成された短寸の上向片９ｂの上端には、左右長がディスプレイ支持体４と等長となす前天板１５前端の下方片１５ａの下端が、ヒンジ５をもって前後に回動可能に枢着されている。
【００１９】
左方の脚板１の前端寄りの内面上部には、公知のダンパー付きのソフトダウンステー１６が取付けられ、その折り畳み式支持アーム１７の先端は、前天板１５の前端部下面に枢着されている。これにより前天板１５は、ディスプレイ支持体４の後天板４ａと同一面に連なる水平の閉塞位置から、想像線で示す前方の起立位置まで回動され、また起立位置ではその状態に保持されるとともに、起立位置から閉塞位置に回動する際には、ダンパー作用により緩速で回動される。
【００２０】
左方の脚板１の内面上部と仕切片１１の内側面とには、前天板１５を水平に保持するストッパ片１８（仕切片側は図示略）が固着されている。また、前天板１５におけるディスプレイ支持体４の後天板４ａとの突合わせ端面のほぼ中央部には、キーボード１０やマウス（図示略）等のコード類２３を挿通する切欠部１９が形成されている。
【００２１】
上記載置板９における垂直板９ａの上端部後面には、ストッパ板２０が上向きに固着され、このストッパ板２０にディスプレイ支持体４の取付板４ｂが当接することにより、後天板４ａは水平状態に保持されるようになっている。そして後天板４ａの先端部下面の左右両側部には、ディスプレイ支持体４を上向きに回動させる際の把持片２１が取付けられている。
【００２２】
また、取付板４ｂの先端には、水平状態にある前天板１５の後端上面に上方より当接することにより、下向片４ｂをほぼ水平状態に保持する係止片２２が取付けられている。
【００２３】
ディスプレイ支持体４を最大限上向きに回動した際、図２の想像線で示すように、後天板４ａの後面が幕板２のストッパを兼ねる上端に当接することにより、それ以上回動するのが阻止され、かつその位置に保持されるようになっている。
【００２４】
次に、上記実施形態の使用例を、図３ないし図７を参照して説明する。
【００２５】
図３に示すように、まず前天板１５を、その切欠部１９に手を挿し込んで前方に最大限回動させる。すると、前天板１５は、ソフトダウンステー１６により図３の状態に保持される。
【００２６】
ついで図４に示すように、取付板４ｂに予めディスプレイ６を取付けてなるディスプレイ支持体４全体を、把持片２１に手を掛けて上向きに回動させ、後天板４ａの後面を幕板２の上端に当接させて保持したのち、載置板９に載置しておいたキーボード１０やマウス（図示略）等を取出し、固定天板８上に一旦載せておく。
【００２７】
ついで、図５に示すように、前天板１５を下向きに回動させて水平状態としたのち、その上面の使用位置にキーボード１０等を載せ換える。なお、キーボード１０等に接続されたコード類２３は、前天板１５の切欠部１９を挿通して配線する。
【００２８】
最後に、図６及び図７の断面図に示すように、上向きに回動して保持しておいたディスプレイ支持体４を下向きに回動させ、ディスプレイ６が取付けられた取付板４ｂの前端の両係止片２２を、前天板１５の後端上面に係止させる。これにより、前天板１５と取付板４ｂとはほぼ水平の同一面をなし、かつディスプレイ６は、取付板４ｂ上に起立して使用可能状態となる。なお、ディスプレイ６やキーボード１０等を収納する際は、上記と逆の順序で行えばよい。
【００２９】
以上説明したように、上記実施形態においては、後天板４ａの後端に前下方を向くディスプレイ６専用の取付板４ｂを設け、この取付板４ｂを水平としたとき、これに取付けたディスプレイ６が机本体の上部に露出して使用可能状態となるようにしてあるため、使用時において、取付板４ｂが前方（図において幕板方向）の視界の妨げとなることはない。
【００３０】
また、使用時には後天板４ａが起立することになるが、後天板４ａの前後方向の寸法は、通常の天板より半減しているので、天板全体が起立する従来の机に比して、前方の見通しはかなり改善される。
【００３１】
使用時において、前天板１５と取付板４ｂとはほぼ同一面に連なり、従来のような垂直の側板等を有していないので、キーボード１０等の操作時の圧迫感はなく、大きな開放感が得られる。
【００３２】
本発明は、上記実施形態に限定されるものではなく、種々の実施形態をとり得る。
例えば、上記実施形態では、ディスプレイ支持体４をほぼ前向きＶ字状として、その後天板４ａと取付板４ｂとの長さをほぼ等長としているが、後天板４ａの前後長を短くし、その分、前天板１５の前後長を長くしてもよい。このようにすると、使用時に後天板４ａを起立させたとき、前方の見通しがさらに良好となる。
【００３３】
上記実施形態では、後天板４ａを幕板２の上端に当接させて、ディスプレイ支持体４を起立状態に保持するようにしているが、ディスプレイ支持体４と机本体との間に別途ストッパを設け、これによりディスプレイ支持体４を適宜の起立位置に保持するようにしてもよい。このようにすると、ディスプレイ支持体４を幕板２と当接するまで上向きに大きく回動する必要はなくなる。また、前天板１５を水平位置と起立位置とに保持する係止手段を設ければ、ソフトダウンステー１６は省略することもできる。
【００３４】
【発明の効果】
本発明によれば、次のような効果を奏することができる。
【００３５】
（ａ）請求項１に記載の発明によれば、ディスプレイを、簡単な構成、かつ手動操作により、使用状態と収納状態とに容易に位置させることができるので、従来の電動式のものに比して大幅なコスト低減が可能となる。
また、後天板と別体のディスプレイ専用の取付板を設け、これを水平にしたとき、ディスプレイが机本体の上方に露出するようになっているので、使用時において、取付板が前方の視界の妨げとなることはなく、しかも起立した後天板の上方寸法も小さいので、それにより前方の見通しが悪くなることはない。
さらに、使用時において、前天板と取付板とはほぼ同一面に重なるので、情報入力機器操作時の圧迫感はなく、大きな開放感が得られる。
【００３６】
（ｂ）請求項２に記載の発明によれば、載置板上より取り出した情報入力機器を一旦固定天板上に置いてから、水平とした前天板上の使用位置に移載しうるので、便利である。
【００３７】
（ｃ）請求項３に記載の発明によれば、取付板を下向きに回動するだけで、係止片が水平位置とした前天板の後端部上面に自動的に当接し、取付板を水平に保持することができる。
【００３８】
（ｄ）請求項４に記載の発明によれば、切欠部に手を挿し込んで前天板を容易に上下に回動させることができるとともに、情報入力機器のコード類を切欠部を通して体裁よく配線することができる。
【００３９】
（ｅ）請求項５に記載の発明によれば、後天板の回動操作を容易に行うことができる。
【００４０】
（ｆ）請求項６に記載の発明によれば、後天板及びディスプレイを取付けた取付板を起立位置に保持した状態で、前天板の回動操作や情報入力機器の出し入れを容易に行うことができる。
【図面の簡単な説明】
【図１】本発明の一実施形態におけるディスプレイ収納時の斜視図である。
【図２】同じく、図１のII−II線の拡大縦断側面図である。
【図３】同じく、前天板を起立した状態の斜視図である。
【図４】同じく、ディスプレイ支持体を上向きに回動して保持した状態の斜視図である。
【図５】同じく、前天板を水平位置に回動した状態の斜視図である。
【図６】同じく、取付板を水平位置まで回動してディスプレイを使用状態とした斜視図である。
【図７】図６のVII− VII線に沿う拡大縦断側面図である。
【符号の説明】
１              脚板
２              幕板
３              支持板
４              ディスプレイ支持体
４ａ            後天板
４ｂ            取付板
５              ヒンジ
６              ディスプレイ
７              ベース板
８              固定天板
９              載置板
９ａ            垂直板
９ｂ            上向片
１０            キーボード
１１            仕切板
１２            ブラケット
１３            パソコン本体
１４            収納空間部
１５            前天板
１５ａ          下向片
１６            ソフトダウンステー
１７            支持アーム
１８            ストッパ片
１９            切欠部
２０            ストッパ片
２１            把持片
２２            係止片
２３            コード類
【図１】
0004409009.tif 000002
【図２】
0004409009.tif 000003
【図３】
0004409009.tif 000004
【図４】
0004409009.tif 000005
【図５】
0004409009.tif 000006
【図６】
0004409009.tif 000007
【図７】
0004409009.tif 000008